(57)【要約】【課題】  公衆のＰＨＳシステムと同等の着信率を達成することが可能となるように、ＰＨＳ端末の位置登録エリアの管理を行なうＰＨＳサーバおよびその処理方法を提供すること。【解決手段】  位置登録エリア検索部４は、パケット受信／解析部１によって受信された位置登録要求に応じて、データベース３を検索してＰＨＳ端末が属する基地局と同じ位置登録エリアの基地局を抽出する。そして、パケット送信部５は、位置登録エリア検索部４によって抽出された基地局に対して位置登録要求を送信する。したがって、同じ位置登録エリアの他の基地局に対して位置登録要求を送信できるようになり、公衆のＰＨＳシステムと同等の着信率を達成することが可能となる。【選択図】        図１
2006174147.tif 000002
【特許請求の範囲】
【請求項１】
パーソナルハンディホンシステムをインターネットプロトコル網に接続するシステムにおいて、パーソナルハンディホンシステムの位置登録エリアを管理するパーソナルハンディホンシステム・サーバであって、
前記パーソナルハンディホンシステムから位置登録要求を受信するための受信手段と、
前記受信手段によって受信された位置登録要求に応じて、前記パーソナルハンディホンシステムが属する基地局と同じ位置登録エリアの基地局を検索するための検索手段と、
前記検索手段によって検索された基地局に対して位置登録要求を送信するための送信手段とを含む、パーソナルハンディホンシステム・サーバ。
【請求項２】
前記パーソナルハンディホンシステム・サーバはさらに、位置登録要求があったパーソナルハンディホンシステムが属する基地局の識別情報が登録されるデータベースを含み、
前記検索手段は、前記データベースを検索することにより、前記パーソナルハンディホンシステムが属する基地局と同じ位置登録エリアの基地局を抽出する、請求項１記載のパーソナルハンディホンシステム・サーバ。
【請求項３】
パーソナルハンディホンシステムをインターネットプロトコル網に接続するシステムにおいて、パーソナルハンディホンシステムの位置登録エリアを管理するサーバの処理方法であって、
前記パーソナルハンディホンシステムから位置登録要求を受信するステップと、
前記受信された位置登録要求に応じて、前記パーソナルハンディホンシステムが属する基地局と同じ位置登録エリアの基地局を検索するステップと、
前記検索された基地局に対して位置登録要求を送信するステップとを含む、サーバの処理方法。
【発明の詳細な説明】
【技術分野】
【０００１】
本発明は、企業の内線電話として用いられるＩＰ（Internet Protocol）電話と、通信事業者に設置されたＩＰ電話サーバとを含み、電話の交換機能を管理制御するＩＰ−Ｃｅｎｔｒｅｘシステムに関し、特に、電話機にＰＨＳ（Personal Handy-phone System）端末を利用したＩＰ−Ｃｅｎｔｒｅｘシステムに用いられるＰＨＳサーバおよびその処理方法に関する。
【背景技術】
【０００２】
近年、企業内の電話コストを削減するために、内線電話にＩＰ電話機の導入を検討する企業が増加している。このようなＩＰ電話システムの中でも、企業内に構内電話交換機（Private Branch Exchanger）を設置する代わりに、通信事業者にＩＰ電話サーバを設置することで、運用・保守コストの削減も期待できるＩＰ−Ｃｅｎｔｒｅｘシステムが特に注目されている。
【０００３】
図５は、一般的なＩＰ−Ｃｅｎｔｒｅｘシステムの概略構成を示す図である。オフィス１には、ＩＰ電話機１０１および１０２と、アナログ電話機１０３と、アナログ電話機１０３からのアナログ電話信号をＩＰパケットに変換するＶｏＩＰ−ＧＷ（Voice over IP - GateWay）と、Ｒ／ＦＷ（Router/Fire Wall）１０５とが設置されている。また、オフィス２には、ＩＰ電話機１１１および１１２と、Ｒ／ＦＷ１１３とが設置されている。
【０００４】
オフィス１に設置されたＲ／ＦＷ１０５およびオフィス２に設置されたＲ／ＦＷ１１３は、ＩＰ網１２０を介して通信事業者に設置されたＩＰ電話サーバ１２１に接続される。また、ＩＰ網１２０はゲートウェイ（ＧＷ）１２４を介してＰＳＴＮ（Public Switched Telephone Network）１２２に接続され、加入者電話機１２３がＩＰ網１２０に接続可能となっている。
【０００５】
通常、ＩＰ電話機で通話をする前に、ＩＰ電話機をＩＰ電話サーバ１２１に登録する必要がある。この登録方法として、まずＩＰ電話機はＩＰ電話サーバ１２１に登録要求パケットを送信する。登録要求パケットには、電話番号やＩＰ電話機のＩＰアドレスなどが含まれる。ＩＰ電話サーバ１２１は、必要に応じてＩＰ電話機の正当性を確認する認証処理を行ない、認証が確認されれば登録受付パケットをＩＰ電話機に送信する。ＩＰ電話サーバ１２１がＩＰ電話機を登録することによって、ＩＰ電話機による通話が可能になる。ＩＰ電話サーバ１２１は、ＩＰ電話機の電話番号とＩＰアドレスとを関連付けてテーブルに登録する。
【０００６】
ＩＰ電話機による通話手順として、ＩＰ電話サーバ１２１はＩＰ電話機からの接続要求を受信すると、テーブルを検索して着信先のＩＰ電話機（ＩＰアドレス）を特定し、そのＩＰアドレスに対して接続要求を送信する。ＩＰ電話機間の接続が行なわれると、通話パケットはＩＰ電話サーバ１２１を経由せずに、ＩＰ電話機間で直接送受信される。また、ＩＰ電話機による通話後の切断処理は、ＩＰ電話サーバ１２１を経由して行なわれる。保留や転送といった付加機能の処理も、ＩＰ電話サーバ１２１によって行なわれる。すなわち、一般的には通話以外の処理（呼制御および登録も含む。）は、ＩＰ電話サーバ１２１によって行なわれる。
【０００７】
以上の説明においては、ＩＰ電話機がデスクや会議室などに固定的に設置されたものを想定している。しかし、現在では固定ＩＰ電話機の代わりに、社団法人電波産業会の標準規格ARIB RCR STD-28に準拠する自営システム対応ＰＨＳ端末を利用したＩＰ−Ｃｅｎｔｒｅｘシステムが検討されている。ＩＰ−Ｃｅｎｔｒｅｘシステムにおいては、デスク以外での通話および移動しながらの通話が可能であり、携帯電話に比べて端末コストが大幅に安価であるため、このようなＰＨＳの利用が有望視されている。
【０００８】
図６は、一般的な公衆のＰＨＳシステムの概略構成を示す図である。このＰＨＳシステムにおいては、位置登録エリア１にはＰＨＳ基地局（以下、ＢＳと呼ぶ。）１３２−１〜１３２−３が含まれ、位置登録エリア２にはＢＳ１３３−１〜１３３−４が含まれる。ＢＳ１３２−１〜１３２−３は交換機（以下、ＥＸと呼ぶ。）１４２に接続され、ＢＳ１３３−１〜１３３−４はＥＸ１４３に接続される。ＥＸ１４２および１４３は、公衆電話網を介してユーザデータベース（以下、ＨＬＲと呼ぶ。）に接続される。
【０００９】
各ＢＳには４２ビットのＩＤが与えられている。この４２ビットのうち、ｎビットは位置登録エリア番号（一斉呼出エリア番号）であり、（４２−ｎ）ビットは付加ＩＤと呼ばれる。同じ位置登録エリアに属するＢＳは同じ位置登録番号を有し、付加ＩＤのみが異なる。これらのＩＤはＨＬＲ１４１によって管理されている。
【００１０】
ＰＨＳ端末（以下、ＰＳと呼ぶ。）の位置登録の手順としては、まずＰＳが最寄りのＢＳに位置登録要求信号を送信する。ＢＳは位置登録要求信号を受信すると、ＨＬＲ１４１へその信号を送信する。ＨＬＲ１４１はＰＳの正当性を確認後、位置登録受付信号をＢＳ経由でＰＳに送信する。
【００１１】
ＨＬＲ１４１は、ＰＳ番号とｎビットのＢＳの位置登録エリア番号とを関連付けて登録する。これによって、ＰＳは位置登録処理に利用した最寄りのＢＳだけでなく、そのＢＳと同じ位置登録エリア番号を持った他のＢＳにも位置登録されることになる。公衆のＰＨＳシステムにおいては、通常同じ位置登録エリア番号を持ったＢＳが地域的に集約して配置されており、これらのＢＳによって１つの位置登録エリアが形成される。
【００１２】
ＰＳが位置登録エリアから外れて別のエリアに移動した場合には、ＰＳがＢＳからの制御信号によって元の位置登録エリアから離れたと判断し、移動先の位置登録エリアで新たに位置登録処理を行なう。
【００１３】
ＰＳを位置登録エリア単位で登録することのメリットは、１台のＢＳだけに位置登録する場合と比較して、ＨＬＲ１４１へのアクセスが減少することである。ＰＳを１台のＢＳだけに位置登録する方式においては、ＰＳがそのＢＳのエリアから外れるたびに位置登録の手続きをする必要がある。一方、ＰＳを位置登録エリア単位で登録する方式においては、そのエリアから外れなければ位置登録の手続きをする必要がない。このことは、ＨＬＲ１４１の処理負荷を軽減する効果がある。すなわち、ＰＳを１台のＢＳだけに位置登録する方式においては、処理量がＨＬＲ１４１の処理能力を超える場合があり、位置登録データベースの更新が間に合わず、接続要求が着信側ＰＳに正確に届かず、結果的に着信率が低下する恐れがある。
【００１４】
図７は、ＰＨＳ端末をＩＰ−Ｃｅｎｔｒｅｘシステムに適用する場合のシステム構成を示す図である。このＩＰ−Ｃｅｎｔｒｅｘシステムにおいては、位置登録エリア１には基地局（以下、ＣＳ（Cell Station）と呼ぶ。）Ａ１〜Ａ３が含まれ、位置登録エリア２にはＣＳ（Ｂ１〜Ｂ４）が含まれる。ＣＳ（Ａ１〜Ａ３）はＲ／ＦＷ１５１を介してＩＰ網１５５に接続され、ＣＳ（Ｂ１〜Ｂ４）はＲ／ＦＷ１５２を介してＩＰ網１５５に接続される。また、通信事業者にはＰＨＳサーバ１５３と、ＩＰ電話サーバ１５４とが設置される。
【００１５】
ＰＳ１３１はＩＰ電話機ではないため、ＰＳの呼制御信号および通話信号をＩＰ網１５５での呼制御信号および通話信号に変換する基地局であるＣＳが配置される。
【００１６】
公衆システムと同様に、各ＣＳには４２ビットのＩＤが与えられている。この４２ビットのうちｎビットは位置登録エリア番号であり、（４２−ｎ）ビットは付加ＩＤである。同じ位置登録エリアに属するＣＳは同じ位置登録エリア番号を有する。
【００１７】
ＣＳの管理方法としては、公衆システムのＨＬＲと同等の機能を有するＰＨＳサーバ１５３を設置するのが一般的である。ＰＨＳサーバ１５３は、ＣＳのＩＤと、そのＩＤから決まる位置登録エリアとを管理する。なお、ＰＨＳサーバ１５３はこれ以外の機能を有する場合があるが、本願とは直接的な関係がないので、その詳細な説明は省略する。
【００１８】
ＩＰ−Ｃｅｎｔｒｅｘシステムにおける位置登録方法として、まずＰＳ１３１が任意のＣＳに対して位置登録要求信号を送信する。ＣＳは、ＰＳ１３１から受けた位置登録要求信号を、ＩＰ網１５５で利用する呼制御プロトコルに変換し、ＩＰ電話サーバ１５４に登録要求パケットを送信する。登録要求パケットには、ＰＳの電話番号、ＣＳのＩＰアドレスなどが含まれている。ＩＰ電話サーバ１５４は、必要に応じて認証を行ない、認証が確認されれば登録受付パケットをＣＳに送信する。ＣＳは、登録受付パケットを受けるとプロトコル変換を行ない、ＰＳ１３１に位置登録受付信号を送信する。このとき、ＩＰ電話サーバ１５４は、ＰＳ１３１の電話番号とＣＳのＩＰアドレスとを関連付けてテーブルに登録する。これによって、ＰＳ１３１は１台のＣＳに位置登録されたことになる。
【非特許文献１】「日経ネットワーク」２００３年６月号
【発明の開示】
【発明が解決しようとする課題】
【００１９】
上述したＰＨＳ端末を利用したＩＰ−Ｃｅｎｔｒｅｘシステムにおいては、公衆システムと異なり、ＰＳ１３１が１つのＣＳにのみ位置登録される。ＰＳ１３１は同じ位置登録エリアに属する別のＣＳの配下に移動したとしても、同じ位置登録エリア内に位置登録要求信号を送出することはない。このとき、ＰＳ１３１から着信があった場合でも、ＩＰ電話サーバ１５４はＰＳ１３１が登録されているＣＳに着信信号を送信し、そのＣＳがＰＳ１３１へ着信信号を送出することになるが、ＰＳ１３１が登録されているＣＳの配下にいないため、ＰＳ１３１に着信信号が届かない場合があるといった問題点があった。
【００２０】
本発明は、上記問題点を解決するためになされたものであり、その目的は、公衆のＰＨＳシステムと同等の着信率を達成することが可能となるように、ＰＨＳ端末の位置登録エリアの管理を行なうＰＨＳサーバおよびその処理方法を提供することである。
【課題を解決するための手段】
【００２１】
本発明のある局面に従えば、パーソナルハンディホンシステムをインターネットプロトコル網に接続するシステムにおいて、パーソナルハンディホンシステムの位置登録エリアを管理するパーソナルハンディホンシステム・サーバであって、パーソナルハンディホンシステムから位置登録要求を受信するための受信手段と、受信手段によって受信された位置登録要求に応じて、パーソナルハンディホンシステムが属する基地局と同じ位置登録エリアの基地局を検索するための検索手段と、検索手段によって検索された基地局に対して位置登録要求を送信するための送信手段とを含む。
【００２２】
好ましくは、パーソナルハンディホンシステム・サーバはさらに、位置登録要求があったパーソナルハンディホンシステムが属する基地局の識別情報が登録されるデータベースを含み、検索手段は、データベースを検索することにより、パーソナルハンディホンシステムが属する基地局と同じ位置登録エリアの基地局を抽出する。
【００２３】
本発明の別の局面に従えば、パーソナルハンディホンシステムをインターネットプロトコル網に接続するシステムにおいて、パーソナルハンディホンシステムの位置登録エリアを管理するサーバの処理方法であって、パーソナルハンディホンシステムから位置登録要求を受信するステップと、受信された位置登録要求に応じて、パーソナルハンディホンシステムが属する基地局と同じ位置登録エリアの基地局を検索するステップと、検索された基地局に対して位置登録要求を送信するステップとを含む。
【発明の効果】
【００２４】
本発明のある局面によれば、検索手段が受信手段によって受信された位置登録要求に応じて、パーソナルハンディホンシステムが属する基地局と同じ位置登録エリアの基地局を検索するので、同じ位置登録エリアの他の基地局に対して位置登録要求を送信できるようになり、公衆のＰＨＳシステムと同等の着信率を達成することが可能となった。
【００２５】
また、位置登録要求があったパーソナルハンディホンシステムが属する基地局の識別情報が登録されるデータベースを含むので、検索手段は同じ位置登録エリアの他の基地局を容易に抽出することが可能となった。
【発明を実施するための最良の形態】
【００２６】
本発明の実施の形態におけるシステムは、図７に示すＩＰ−Ｃｅｎｔｒｅｘシステムの構成と比較して、ＰＨＳサーバの構成および機能が異なる点のみが異なる。したがって、重複する構成および機能の詳細な説明は繰返さない。
【００２７】
図１は、本発明の実施の形態におけるＰＨＳサーバの概略構成を示すブロック図である。このＰＨＳサーバは、ＣＳからの位置登録要求パケットなどのパケットを受信して解析するパケット受信／解析部１と、受信したパケットが位置登録要求パケットであるか否かを判定する位置登録判定部２と、ＰＳ１３１の位置登録エリアが登録されるデータベース３と、ＰＳ１３１が属する位置登録エリアのＣＳを検索する位置登録エリア検索部４と、ＩＰ電話サーバ１５４などにパケットを送信するパケット送信部５とを含む。
【００２８】
図２は、本発明の実施の形態におけるＰＨＳサーバの処理手順を説明するためのフローチャートである。ＰＳ１３１が最寄りのＣＳへの位置登録を終了したとき、そのＣＳはＰＳ１３１に位置登録受付信号を送信した後、ＰＨＳサーバ１５３に自局のＩＤと、ＰＳ１３１の電話番号とを含む位置登録情報を送信する。
【００２９】
パケット受信／解析部１がＣＳからパケットを受信すると（Ｓ１）、位置登録判定部２はそのパケットが位置登録要求パケットであるか否かを判定する（Ｓ２）。そのパケットが位置登録要求パケット以外であれば（Ｓ２，その他）、その他の処理が行なわれる（Ｓ８）。
【００３０】
そのパケットが位置登録要求パケットであれば（Ｓ２，位置登録要求）、ＰＳの正当性を確認し（Ｓ３）、位置登録要求パケットを送信したＣＳに対してパケット送信部５が位置登録受付パケットを送信する（Ｓ４）。そして、位置登録判定部２はＰＳ１３１の位置登録エリアをデータベース３に登録する（Ｓ５）。
【００３１】
次に、位置登録エリア検索部４は、ＰＳ１３１のＩＤを元にデータベース３を検索し、そのＰＳ１３１が属するＣＳと同じ位置登録エリア番号を持ったＣＳ、すなわち同じ位置登録エリアの全てのＣＳを抽出する（Ｓ６）。
【００３２】
パケット送信部５は、位置登録エリア検索部４によって抽出されたＣＳに対して、ＰＳ１３１をＩＰ電話サーバ１５４に登録するよう要求する信号を送信する。この信号には、ＰＳ１３１の電話番号が含まれている。信号を受けた各ＣＳは、ＩＰ電話サーバ１５４に当該ＰＳの登録要求パケットを送信する（Ｓ７）。ＩＰ電話サーバ１５４は、各ＣＳの位置登録を行ない、各ＣＳに対して登録受付パケットを送信する。
【００３３】
その結果、ＰＳ１３１は位置登録エリア全てのＣＳに登録されていることになる。ＰＳ１３１から位置登録要求信号を受信したＣＳは、その信号に基づいてＩＰ電話サーバ１５４に登録要求パケットを送信するが、同じ位置登録エリアに属する他のＣＳはＰＨＳサーバ１５３からの要求によってＩＰ電話サーバ１５４に登録要求パケットを送信することになる。
【００３４】
ＩＰ電話サーバ１５４においては、１つのＰＳの電話番号に対して複数個のＣＳのＩＰアドレスが関連付けて登録される。ＩＰ電話サーバ１５４は、そのＰＳへの着信要求を受けると、そのＰＳと関連付けて登録されている全てのＣＳに着信信号を送信する。これによって、公衆システムと同様の着信率を達成することができる。なお、ＣＳとＰＨＳサーバ１５３との間のプロトコルは規定せず、独自のプロトコルを用いるようにしてよい。
【００３５】
図３は、本発明の実施の形態におけるシステムの位置登録シーケンスを示す図である。まず、ＣＳ−Ａ１がＰＳ１３１からの位置登録要求を受けると（Ｔ１）、ＰＨＳサーバ１５３に対して位置登録要求パケットを送信する（Ｔ２）。ＰＨＳサーバ１５３はＣＳ−Ａ１から位置登録要求パケットを受けると、ＣＳ−Ａ１に対して位置登録受付パケットを送信するとともに（Ｔ３）、同じ位置登録エリアに属するＣＳ−Ａ１〜ＣＳ−Ａ３に対してＰＳ１３１の位置登録要求を示す信号を送信する（Ｔ４）。
【００３６】
ＣＳ−Ａ１〜ＣＳ−Ａ３は、位置登録要求を示す信号を受けると、ＩＰ電話サーバ１５４に対して位置登録要求パケットを送信する（Ｔ５）。ＩＰ電話サーバ１５４は、各ＣＳの位置登録を完了すると、ＣＳ−Ａ１〜ＣＳ−Ａ３に対して２００  ＯＫを送信する（Ｔ６）。ＣＳ−Ａ１〜ＣＳ−Ａ３は、ＰＨＳサーバ１５３に対して位置登録応答を送信する（Ｔ７）。最後に、ＰＳ１３１から位置登録要求を受けたＣＳ−Ａ１は、ＰＳ１３１に対して位置登録受付を送信して（Ｔ８）、処理を終了する。
【００３７】
図４は、本発明の実施の形態におけるシステムのＰＳ移動時の位置登録シーケンスを示す図である。ＰＳ１３１がＣＳ−Ａ１からＣＳ−Ｂ２へ移動した際、ＣＳ−Ｂ２がＰＳ１３１からの位置登録要求を受けると（Ｔ１１）、ＰＨＳサーバ１５３に対して位置登録要求パケットを送信する（Ｔ１２）。ＰＨＳサーバ１５３はＣＳ−Ｂ２から位置登録要求パケットを受けると、ＣＳ−Ｂ２に対して位置登録受付を送信するとともに（Ｔ１３）、ＣＳ−Ａ１〜ＣＳ−Ａ３に対して登録削除要求を示す信号を送信する（Ｔ１４）。
【００３８】
ＣＳ−Ａ１〜ＣＳ−Ａ３は、登録削除要求を示す信号を受けると、ＩＰ電話サーバ１５４に対して登録削除要求パケットを送信する（Ｔ１５）。ＩＰ電話サーバ１５４は、各ＣＳの登録削除を完了すると、ＣＳ−Ａ１〜ＣＳ−Ａ３に対して２００  ＯＫを送信する（Ｔ１６）。
【００３９】
次に、ＰＨＳサーバ１５３は、同じ位置登録エリアに属するＣＳ−Ｂ１〜ＣＳ−Ｂ３に対してＰＳ１３１の位置登録要求を示す信号を送信する（Ｔ１７）。
【００４０】
ＣＳ−Ｂ１〜ＣＳ−Ｂ３は、位置登録要求を示す信号を受けると、ＩＰ電話サーバ１５４に対して位置登録要求パケットを送信する（Ｔ１８）。ＩＰ電話サーバ１５４は、各ＣＳの位置登録を完了すると、ＣＳ−Ｂ１〜ＣＳ−Ｂ３に対して２００  ＯＫを送信する（Ｔ１９）。ＣＳ−Ｂ１〜ＣＳ−Ｂ３は、ＰＨＳサーバ１５３に対して位置登録応答を送信する（Ｔ２０）。最後に、ＰＳ１３１から位置登録要求を受けたＣＳ−Ｂ２は、ＰＳ１３１に対して位置登録受付を送信して（Ｔ２１）、処理を終了する。
【００４１】
以上説明したように、本実施の形態におけるＰＨＳサーバ１５３は、ＰＳ１３１から位置登録要求を受けたときに、ＰＳ１３１が属するＣＳと同じ位置登録エリアのＣＳに対して位置登録要求を送信するようにしたので、同じ位置登録エリア内の全てのＣＳにＰＳ１３１が位置登録されるようになり、公衆のＰＨＳシステムと同等の着信率を達成することが可能となった。
【００４２】
今回開示された実施の形態は、すべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【図面の簡単な説明】
【００４３】
【図１】本発明の実施の形態におけるＰＨＳサーバの概略構成を示すブロック図である。
【図２】本発明の実施の形態におけるＰＨＳサーバの処理手順を説明するためのフローチャートである。
【図３】本発明の実施の形態におけるシステムの位置登録シーケンスを示す図である。
【図４】本発明の実施の形態におけるシステムのＰＳ移動時の位置登録シーケンスを示す図である。
【図５】一般的なＩＰ−Ｃｅｎｔｒｅｘシステムの概略構成を示す図である。
【図６】一般的な公衆のＰＨＳシステムの概略構成を示す図である。
【図７】ＰＨＳ端末をＩＰ−Ｃｅｎｔｒｅｘシステムに適用する場合のシステム構成を示す図である。
【符号の説明】
【００４４】
１  パケット受信／解析部、２  位置登録判定部、３  データベース、４  位置登録エリア検索部、５  パケット送信部、１０１，１０２，１１１  ＩＰ電話機、１０３  アナログ電話機、１０４  ＶｏＩＰ−ＧＷ、１０５，１１３，１５１，１５２  Ｒ／ＦＷ、１２０，１５５  ＩＰ網、１２１，１５４  ＩＰ電話サーバ、１２２  ＰＳＴＮ網、１２３  加入者電話機、１２４  ＧＷ、１３１  ＰＳ、１３２−１〜１３２−３，１３３−１〜１３３−４  ＢＳ、１４１  ＨＬＲ、１４２，１４３  ＥＸ、１５３  ＰＨＳサーバ、Ａ１〜Ａ３，Ｂ１〜Ｂ４  ＣＳ。
【図１】
2006174147.tif 000003
【図２】
2006174147.tif 000004
【図３】
2006174147.tif 000005
【図４】
2006174147.tif 000006
【図５】
2006174147.tif 000007
【図６】
2006174147.tif 000008
【図７】
2006174147.tif 000009